(57)【特許請求の範囲】
【請求項１】
多数の貫通孔が穿孔された球面皿形状で且つ薄板金属からなる器本体と、該器本体の下面側に装着される少なくとも３本の軸状脚部と、風除け部材とからなり、該風除け部材は前記器本体の外周端縁から上方に設けられ、前記器本体には、該器本体の下面側から該器本体の外周端縁の上方側に迫り出すと共に、常時は前記器本体の下面側に収納自在とした風除け部材が具備されてなることを特徴とする松明用器。
【請求項２】
請求項１において、前記風除け部材は、風除け板と、枢支連結材とからなり、前記風除け板の幅方向一端側を前記枢支連結材を介して前記器本体の下面側外周端縁箇所に装着され、風除け板は前記枢支連結材を介して回動自在に装着されてなることを特徴とする松明用器。
【請求項３】
請求項１において、前記風除け部材は、案内長孔が形成された風除け板と、下面側にＶ字形状となるように収納傾斜面と起立用傾斜面が形成された案内ベースと、該案内ベースの前記収納傾斜面と起立用斜面の両面に沿って揺動自在として案内ピンと、弾性材とからなり、前記風除け部材の案内長孔に前記案内ピンが遊挿され、且つ前記弾性材を介して、前記風除け板が前記案内ベースに弾性付勢されてなることを特徴とする松明用器。
【請求項４】
請求項１，２又は３のいずれか１項の記載において、前記風除け板は幅方向に沿って扁平弧状に形成されてなることを特徴とする松明用器。
【発明の詳細な説明】
【技術分野】
【０００１】
本発明は、お盆に松明を用意して、先祖又は故人を偲ぶしきたりや、習慣に対して、極めて簡単な構造で、且つ燃料用の木片に火を付け易くすることができるお盆等に使用する松明用器に関する。
【背景技術】
【０００２】
従来、お盆では、先祖又は故人のために迎え火及び送り火等の松明を焚く習慣があり、多くの人々に受け継がれている。松明には、松等の木片を安定した状態で焚くために専用の容器が存在する。
【先行技術文献】
【特許文献】
【０００３】
【特許文献１】特開平８−２８９８４０
【発明の概要】
【発明が解決しようとする課題】
【０００４】
松明は、火を焚くときに、なかなか松等の木片に火が付きにくく、火を付けるのに非常に苦労することがしばしばある。特に、風の吹く状態でマッチやライター等で松等の木片に火を付けようとしても、直ぐに火が消えてしまうものである。本発明の目的は、松明の火を焚き易いものとし、且つ風の吹く状態であっても、火を付けることが容易にでき、構造も簡単にすることができる松明用器を提供することにある。
【課題を解決するための手段】
【０００５】
そこで、発明者は、上記課題を解決すべく、鋭意、研究を重ねた結果、請求項１の発明を、多数の貫通孔が穿孔された球面皿形状で且つ薄板金属からなる器本体と、該器本体の下面側に装着される少なくとも３本の軸状脚部と、風除け部材とからなり、該風除け部材は前記器本体の外周端縁から上方に設けられ、前記器本体には、該器本体の下面側から該器本体の外周端縁の上方側に迫り出すと共に、常時は前記器本体の下面側に収納自在とした風除け部材が具備されてなることを特徴とする松明用器としたことにより、前記課題を解決した。
【０００６】
請求項２の発明を、請求項１において、前記風除け部材は、風除け板と、枢支連結材とからなり、前記風除け板の幅方向一端側を前記枢支連結材を介して前記器本体の下面側外周端縁箇所に装着され、風除け板は前記枢支連結材を介して回動自在に装着されてなることを特徴とする松明用器としたことにより、上記課題を解決した。
【０００７】
請求項３の発明を、請求項１において、前記風除け部材は、案内長孔が形成された風除け板と、下面側にＶ字形状となるように収納傾斜面と起立用傾斜面が形成された案内ベースと、該案内ベースの前記収納傾斜面と起立用斜面の両面に沿って揺動自在として案内ピンと、弾性材とからなり、前記風除け部材の案内長孔に前記案内ピンが遊挿され、且つ前記弾性材を介して、前記風除け板が前記案内ベースに弾性付勢されてなる松明用器としたことにより、上記課題を解決した。請求項４の発明を、請求項１，２又は３のいずれか１項の記載において、前記風除け板は幅方向に沿って扁平弧状に形成されてなる松明用器としたことにより、上記課題を解決した。
【発明の効果】
【０００８】
請求項１の発明では、器本体は、球面皿形状に形成され、且つ多数の貫通孔が穿孔されている。したがって、器本体の上面と下面との間に亘って空気流通が極めて良好となり、松又はその他の木片に火を付け易く且つ長時間に亘って燃え続けることができる。さらに、風除け部材が設けられたことにより、風の吹いているときであっても、マッチ，ライター等による火元の火が消え難いようにすることができる。しかも、また、器本体の下面側には、少なくとも３本の軸状脚部が形成されており、安定した設置が可能となる。
【０００９】
また、軸状脚部は、軸状に形成されたものであり、器本体の下面側と地面との間のスペースでの空気流通を妨げることがなく、器本体の上面と下面における空気流通を一層、良好にすることができる。さらに、器本体は、前述したように、金属製としたことにより、強固で且つ耐久性のあるものにできる。また、器本体は、薄板金属製であり、その製造においてプレス加工により極めて簡単に製造することができ、低価格にて提供することができる。
【００１０】
さらに、請求項１の発明では、前記風除け部材はその風除け板が、常時は前記器本体の下面側に収納自在とし、必要なときに風除け部材の風除け板が器本体の下面側から該器本体の外周端縁の上方側に迫り出す構成としているので、本発明を収納するときには、風除け部材の風除け板を器本体の下面側に収納することで、省スペース化がはかられ、収納効率が極めて良好なものとなる。
【００１１】
請求項２の発明では、軸方向の一端側に傾斜端面を有する枢支連結材を器本体の下面側外周端縁に装着され、風除け板は前記枢支連結材を介して枢支連結材が回動自在に装着されたことにより、風除け部材の風除け板を枢支連結材を回動中心として回動させるのみで、極めて簡単に器本体の下面側に収納することができるものである。請求項３の発明では、案内長孔が形成された風除け板と、下面側にＶ字形状となるように収納傾斜面と起立用傾斜面が形成された案内ベースと、該案内ベースの前記収納傾斜面と起立用斜面の両面に沿って揺動自在として案内ピンと、弾性材とからなり、前記風除け部材の案内長孔に前記案内ピンが遊挿され、且つ前記弾性材を介して、前記風除け部材が前記案内傾斜面に弾性付勢される構造としたものである。
【００１２】
よって、風除け板を器本体の下面側に収納するときには、風除け板を器本体の下面側に位置させるように移動すると、風除け板の案内長孔の長手方向前方側端縁によって案内ピンが案内ベースを揺動中心として揺動しつつ収納傾斜面側に引き寄せられる。これによって、風除け板は、弾性材によって風除け板が収納傾斜面に弾性的に付勢されて押圧されることとなり、風除け板は案内ベースの収納傾斜面に沿って配置された状態となり、風除け板が器本体の下面側に安定した状態で収納される。それゆえに、本発明を保管するときにもかさばることがないようにすることができる。
【００１３】
また、風除け板を風除けとして使用するときには、収納状態から風除け板を器本体の外周端縁より引きずり出すように移動させることで、風除け板は、収納傾斜面から起立用傾斜面に向かって移動する。このとき、風除け板の案内長孔の長手方向後方側端縁が案内ピンを収納傾斜面側から起立用傾斜面側に向かって揺動させ、起立用傾斜面側にて案内ピンに支持された弾性材が風除け板が起立用傾斜面に向かって弾性的に付勢されて押圧し、風除け板が案内ベースの起立用傾斜面に沿う状態にすることができ、器本体の外周端縁からその上方に向かって垂直状に立上る状態にできる。
【００１４】
請求項４の発明では、風除け板は、幅方向に沿って扁平弧状に形成されたことにより、単に風を除けるのではなく、風が風除け板に当たるときの風圧を緩和することができるものである。
【図面の簡単な説明】
【００１５】
【図１】（Ａ）は本発明の第１実施形態の縦断側面図、（Ｂ）は（Ａ）のＸ１−Ｘ１矢視図である。
【図２】（Ａ）は本発明の第１実施形態の斜視図、（Ｂ）は風除け板と枢支連結材の変形例を示す要部拡大断面図、（Ｃ）は風除け板と枢支連結材の別変形例を示す要部拡大断面図、（Ｄ）は風除け板と枢支連結材のさらに別変形例を示す要部拡大断面図である。
【図３】（Ａ）は本発明の第２実施形態の縦断側面図、（Ｂ）は（Ａ）のＸ2−Ｘ2矢視図、（Ｃ）は風除け板が収納された要部状態図である。
【図４】（Ａ）は第２実施形態におけるは風除け板と枢支連結材の変形例を示す要部拡大断面図、（Ｂ）は（Ａ）のＹ1−Ｙ1矢視断面図、（Ｃ）乃至（Ｅ）は風除け板を収納状態から使用状態とする行程図である。
【図５】（Ａ）は本発明とは別の実施形態の斜視図、（Ｂ）は（Ａ）の実施形態の縦断側面図、（Ｃ）は風除け部材の風除け作用図である。
【発明を実施するための形態】
【００１６】
以下、本発明の実施形態を図面に基づいて説明する。まず、本発明における松明用器は、器本体１と、複数の軸状脚部２，２，…とから構成されている。器本体１には、軸状脚部２，２，…が少なくとも３本装着される（図１，図３等参照）。軸状脚部２は、金属製の軸部材から構成され、略円筒形状としたり、角柱形状としても構わない。そして、複数の軸状脚部２，２，…が前記器本体１の下面側に円周状に等間隔に配置され、ビス等の固着具にて器本体１に固着される。
【００１７】
さらに、器本体１に風除け部材Ａが具備される。該風除け部材Ａは、これを構成する風除け板３が、前記器本体１の外周端縁から上方側に迫り出す構成とし、常時は前記器本体１の下面側に収納自在としたものである（図１乃至図４参照）。また、風除け部材Ａは、器本体１に対して常時使用状態となるように設定されることもある（図５参照）。そして、器本体１には、松等の木片８が配置され、器本体１に具備された風除け部材Ａの風除け板３を器本体１の外周端縁より上方に引き出して、風除けとして使用し、前記松等の木片８に火を付けるものである。
【００１８】
器本体１は、金属製であり、球面形状の皿形状に形成されている。具体的には、縦断面形状が扁平弧状である底の浅い球面形状の皿状器であり、金属薄板材からプレス加工等による製造手段にて形成される。器本体１には、多数の貫通孔１１，１１，…が形成されている（図１参照）。該貫通孔１１，１１，…は、間隔が均一となるように形成されており、その配列も同心円となる複数の円周方向に列状に形成されたり、器本体１の直径中心位置を中心として放射状に形成される。貫通孔１１は、円形状に形成され、直径約２mm乃至１０mm程度であるが、種々のサイズが存在し、このサイズに限定されるものではなく、この範囲内よりもさらに大きな貫通孔としてもよい。形状も円形に限定されるものではなく、正方形又は長方形等の方形状或は三角形状でも構わない。また、器本体１の材質も、金属の他に、陶器でも構わない。
【００１９】
器本体１には、前述したように風除け部材Ａが具備される。該風除け部材Ａには、複数の実施形態が存在する。その第１実施形態は、図１，図２に示されており、扇形状の風除け板３と、枢支連結材４とからなる。そして、風除け板３は、枢支連結材４を介して前記器本体１の下面側に配置される収納状態と、風除けとして器本体１の外周端縁より上方に迫り出した状態となるように構成され、器本体１に対して風除け板３が回動且つ収納状態及び風除け状態としてそれぞれの状態で維持可能に固定することができる〔図１及び図２（Ａ）参照〕。
【００２０】
風除け板３は、金属板にて形成され、主板部３１と枢支突起片３２とから形成されており、主板部３１は、略長方形状又は略扇形状に形成され、該主板部３１の幅方向の端部で且つ隅部箇所に前記主板部３１よりも小さな突起状の板片として前記枢支突起片３２が形成されている〔図１（Ｂ）参照〕。主板部３１は、実際に風除けとして使用される部位であり、器本体１に配置された松等の木片８に火を焚き付ける際の風除けの壁面としての役目をなす〔図１（Ａ）参照〕。
【００２１】
主板部３１は、内側面３１ｉと、外側面３１ｏとの２面が存在する〔図１（Ａ）参照〕。その内側面３１ｉとは、主板部３１が風除けとして使用される状態で、器本体１側に対向する面であり、外側面３１ｏとは器本体１の外方側に対向する面である。風除け板３の主板部３１は、その幅方向に沿って、断面が扁平弧状に形成される。このとき、主板部３１の内側面３１ｉが凹形弧状であり、よって外側面３１ｏは、当然凸形弧状となる。また、主板部３１の幅方向とは、風除けとして使用されているときの器本体１の外周方向と同一方向である〔図１（Ｂ）参照〕。
【００２２】
風除け板３は、その枢支突起片３２が枢支連結材４と連結されるものである。枢支突起片３２は、主板部３１の内側面３１ｉに向かって、適宜の角度θで折曲されている〔図１（Ａ），図２（Ｂ）等参照〕。この角度θは、主板部３１が器本体１に対して風除けとして使用された状態のときに、主板部３１が可能な限り垂直面に近い傾斜状となり、器本体１の下面側に収納された状態のときには、可能な限り主板部３１が器本体１の底面に水平状に近接するように設定される。
【００２３】
枢支連結材４は、金属又は合成樹脂製で略円筒形状に形成されている〔図１，図２（Ｂ）等参照〕。該枢支連結材４は、軸方向に沿って直径中心に軸孔４１が形成されている。そして、枢支連結材４の軸方向の一端側面が器本体１に当接され、他端側面が風除け板３の枢支突起片３２に当接され、器本体１，枢支連結材４及び枢支突起片３２とが連結具５によって連結される。該連結具５は、ビス５１とナット５２とから構成され、ビス５１の螺子軸が枢支突起片３２に形成された枢支孔３２ａと、枢支連結材４の軸孔４１と、器本体１に形成された枢支孔１２を貫通し、前記ナット５２にてビス５１に締付固着される〔図２（Ｂ）参照〕。
【００２４】
風除け板３は、枢支連結材４を介して器本体１に枢支連結されたものであり、風除け板３の主板部３１を器本体１に対して回動させることで収納された状態と、風除けとして使用する２つの状態に自由に設定することができる〔図１，図２（Ａ）参照〕。風除け板３は、主板部３１の内側面３１ｉに対して角度θで折曲されたものであり、この角度θにより、風除け板３の収納状態では、器本体１の下面側に略水平状で近接し、また風除けとして使用するときには松等の木片８に風が当たらないように起立状態にすることができる。
【００２５】
そして、風除け板３を器本体１に対して回動させるときには、前記連結具５のビス５１とナット５２とを緩めると回動自在となり、収納及び風除けのいずれの状態で固定させるには、連結具５を締め付けることで簡単に固定できる。また、前記ナット５２を２個備えてダブルナット方式とし、風除け板３が回動且つ回動停止位置で固定状態を維持することができる程度の連結具５の締付固定により、風除け板３の回動操作時に、連結具５を緩めたり締め付けたりする必要がない。
【００２６】
また、図２（Ｃ）は、第１実施形態の変形例であり、風除け板３の主板部３１に対して枢支突起片３２が折曲形成されたものではなく、主板部３１と枢支突起片３２とが略同一平面にて形成されたものである。そして、前記枢支連結材４は、軸方向の一端が傾斜端面４ａとなっており、他端側は平坦状端面４ｂとなっている。該平坦状端面４ｂは、軸方向に直角となる面である。前記傾斜端面４ａは、平坦状端面４ｂに対して角度θを有する斜面として形成されている。
【００２７】
この傾斜端面４ａに、風除け板３が溶接等の固着手段にて固着され、枢支連結材４の平坦状端面４ｂが器本体１側に当接されて回動自在に連結されることで、実質的には、前述した角度θを有する主板部３１と枢支突起片３２との風除け板３と同一となる。枢支連結材４は、器本体１に対して回動且つ固定自在としている。さらに、第１実施形態の別の変形例として、風除け板３と枢支連結材４とを一体化することもある〔図２（Ｄ）参照〕。具体的には、前記枢支突起片３２に略Ｌ字形状の屈曲部が形成され、該屈曲部を枢支連結材４としたものである。
【００２８】
次に、風除け部材Ａの第２実施形態を図３，図４に基づいて説明する。この第２実施形態では、風除け板３と、案内ベース６と、弾性材７とから構成される。風除け板３は、主板部３１には、前記枢支突起片３２は存在しない。また第１実施形態と同様に、主板部３１には、内側面３１ｉと外側面３１ｏとが存在し、主板部３１が風除けとして使用される状態で、器本体１側に対向する面が内側面３１ｉで、器本体１の外方側に対向する面が外側面３１ｏである。さらに、主板部３１は、その幅方向に沿って、断面が扁平弧状に形成され、内側面３１ｉが凹形弧状であり、外側面３１ｏは、凸形弧状となる。
【００２９】
主板部３１は、その幅方向両側箇所に２本の案内長孔３３，３３が適宜の間隔をおいて平行に形成されている〔図３（Ｂ），（Ｃ）参照〕。また、風除け板３は、その主板部３１の案内長孔３３の長手方向を前後方向とする。風除け板３は、その前後方向に沿って、器本体１の下面側と外方とに亘って移動させることにより、収納状態及び風除けとしての使用状態にするものである（図３参照）。風除け板３の収納状態において器本体１の直径中心寄りの側を風除け板３の前後方向の後方側とし、器本体１の外端縁寄りの側を風除け板３の前後方向の前方側とする。
【００３０】
案内ベース６は、断面略門形状のベース部材６１と、案内ピン６２と、弾性材７とから構成される〔図４（Ａ），（Ｂ）参照〕。ベース部材６１は、上部６１ａの幅方向両端より２つの側板部６１ｂ，６１ｂが平行となるように形成される。ベース部材６１は、前記上部６１ａ側が前記器本体１の下面側に固着される。その固着手段は、ビス・ナット等の固着具が使用されたり、上部６１ａが直接、器本体１に溶接又は接着剤等にて固着される。そして、器本体１に対して２個の案内ベース６が使用される〔図３（Ａ）参照〕。すなわち、前記風除け板３に形成された２個の案内長孔３３，３３の各々に案内ベース６，６が対応して使用される。
【００３１】
両側板部６１ｂ，６１ｂの下端は、略Ｖ字形状に形成され〔図１（Ａ），（Ｃ）乃至（Ｅ）参照〕、その下端の面は２つの傾斜方向が異なる傾斜面を有するものである。つまり、前記側板部６１ｂは、その下端面の略中央箇所が最も下方に向かって突出し、その中央箇所から前後方向の両側に向かうにしたがい上方に傾斜する構成である。その一方の傾斜面は、収納傾斜面Ｋ1であり、他方の傾斜面は起立用傾斜面Ｋ2である。収納傾斜面Ｋ1と起立用傾斜面Ｋ2との境界は弧状面となっており、これを境界弧状面Ｋ3と称する。境界弧状面Ｋ3は、側板部６１ｂのＶ字状側面における最下端及びその近傍を構成する領域となる。
【００３２】
案内ベース６は、その長手方向が前後方向となり、器本体１の外端縁箇所の下面側に前記風除け板３の両案内長孔３３，３３と同等間隔で、且つ両案内ベース６，６が平行となるように配置固着される。前記収納傾斜面Ｋ1，起立用傾斜面Ｋ2及び境界弧状面Ｋ3については、まず収納傾斜面Ｋ1は、案内ベース６が器本体１の下面側で且つ外周端縁付近に固着された状態で、水平面（略水平面も含む）となり、起立用傾斜面Ｋ2は、前記収納傾斜面Ｋ1に対して上方に向かって垂直面に近い傾斜面又は略垂直面となる。
【００３３】
つまり、器本体１に対して風除け板３を収納するときには、器本体１の下面側で風除け板３は略水平状態となり、風除け板３を風除けとして使用するときには、風除け板３は垂直面に近い傾斜面となったり、或は略垂直状となる〔図３（Ａ）、図４（Ａ）参照〕。そして、境界弧状面Ｋ3は、前述したように、収納傾斜面Ｋ1と起立用傾斜面Ｋ2との間に形成され、外方に凸状円弧形状となる。境界弧状面Ｋ3は、風除け板３が収納傾斜面Ｋ1と起立用傾斜面Ｋ2との間を往復するときに円滑に移動させる役目をなすものである。
【００３４】
案内ピン６２は、図４（Ｂ）に示すように、軸部６２ａの軸方向一端側に略円板形状のフランジ部６２ｂが形成され、軸方向他端箇所にその軸方向に直交する枢支孔６２ｃが形成されている。前記フランジ部６２ｂは、前記風除け板３の案内長孔３３の溝幅よりも大きく形成されている。また、前記両側板部６１ｂ，６１ｂには、前後方向の略中央付近で且つ前記上部６１ａ側寄りに貫通孔６２ｃ，６２ｃが形成されている。また、弾性材７は、圧縮コイルバネであり、その内部に前記案内ピン６２の軸部６２ａが遊挿する。
【００３５】
まず、案内ピン６２の軸部６２ａにコイルバネ等の弾性材７を装着しつつ、前記軸部６２ａを風除け板３の案内長孔３３に遊挿する。前記弾性材７は、案内ピン６２のフランジ部６２ｂと、風除け板３の間に位置する。前記軸部６２ａは、ベース部材６１の両側板部６１ｂ，６１ｂ間に遊挿され、ピン材又は割りピン等の揺動連結具６３が前記両側板部６１ｂ，６１ｂに形成された貫通孔６１ｃ，６１ｃ及び案内ピン６２の枢支孔６２ｃを貫通して、案内ピン６２がベース部材６１の前後方向に亘って揺動自在に装着される（図４参照）。したがって、両案内ベース６，６の両案内ピン６２，６２は、共に同一方向に揺動することになる。
【００３６】
前記弾性材７にコイルバネが使用された場合には、前記案内ピン６２のフランジ部６２ｂと風除け板３との間で圧縮された状態に設定される。そして、弾性材７（コイルバネ）の弾性力が風除け板３の内側面３１ｉを案内ベース６の両側板部６１ｂ，６１ｂの下端に押圧するように弾性付勢する。具体的に、風除け板３の内側面３１ｉが案内ベース６の両側板部６１ｂ，６１ｂに当接する部位は、収納傾斜面Ｋ1，起立用傾斜面Ｋ2であり、収納傾斜面Ｋ1と起立用傾斜面Ｋ2との間に亘って移動する際には、境界弧状面Ｋ3を通過することになる。風除け板３が器本体１に収納されるときは、風除け板３が収納傾斜面Ｋ1側に当接し、風除け板３が器本体１に対する風除けとして使用される状態では風除け板３が起立用傾斜面Ｋ2に当接し、いずれの場合にも弾性材７によって弾性的に付勢されるものである。
【００３７】
第２実施形態における風除け板３の器本体１に対する収納及び風除けとしての使用する場合について説明する。まず、風除け板３の収納状態では、両案内ベース６，６の両案内ピン６２，６２は、その揺動中心から収納傾斜面Ｋ1側に位置しており、且つ風除け板３の両案内長孔３３，３３の長手方向前端側に位置するように設置されている〔図４（Ｃ）参照〕。このとき、風除け板３の内側面３１ｉで且つ前後方向の前方側と、両案内ベース６，６の側板部６１ｂ，６１ｂ，…のそれぞれの収納傾斜面Ｋ1，Ｋ1，…とが弾性材７による弾性的に勢力された押圧されながら当接している。これによって風除け板３は案内ベース６の収納傾斜面Ｋ1に沿った状態で収納され、その収納状態は安定的に維持される。
【００３８】
次に、風除け板３の収納状態に対して、風除け板３の前後方向の前方側箇所を手の指でつまみながら器本体１の外周端縁から引きずり出すことにより、両案内ピン６２，６２に対して両案内長孔３３，３３が外方に向かって移動する〔図４（Ｄ）参照〕。両案内長孔３３，３３の長手方向後方側端縁が、両案内ピン６２，６２の軸部６２ａ，６２ａに当接し、両案内長孔３３，３３の両後方側端縁によって案内ピン６２，６２は収納傾斜面Ｋ1側から起立用傾斜面Ｋ2側に揺動移動させられる〔図４（Ｅ）参照〕。
【００３９】
風除け板３は、収納傾斜面Ｋ1から境界弧状面Ｋ3を通過して〔図４（Ｄ）参照〕、前後方向の内方側が起立用傾斜面Ｋ2に到達し、風除け板３の内側面３１ｉで且つ前後方向内方側が起立用傾斜面Ｋ2とが当接する。そして、風除け板３は前記起立用傾斜面Ｋ2の傾斜に倣って器本体１の外方に起立状態となり、風除けとして使用できる状態となる〔図４（Ｄ）参照〕。これによって、器本体１内部の松等の木片８に火をつけ易くなる。
【００４０】
本発明とは別の実施形態では、前記風除け部材Ａは、器本体１の外周端縁に対して常時使用状態に固定するようにして風除け板３が装着固定されたものである〔図５（Ａ），（Ｂ）参照〕。この実施形態では、風除け部材Ａは、風除け板３の主板部３１のみから構成される。該風除け板３の主板部３１は、器本体１の外周端縁から上方に立ち上がり状態で設置される。器本体１の外周端縁に風除け板３が固着される手段としては、溶接が使用される。この実施形態では、風除け板３の主板部３１は、その幅方向の断面形状が前記器本体１の外周端縁の弧形状に沿って弧状に形成される。
【００４１】
図５（Ｃ）は、木片８，８，…を燃やして生じる炎が風除け部材Ａの主板部３１によって、風が直接に当たらないようにして保護し、炎が消えるのを防止する状態を示すものである。また、図５（Ｃ）では、器本体１内の木片８，８，…に火を付けて燃焼させるときにも、風除け部材Ａの主板部３１によって、木片８，８，…が風から保護されるので、火付け作業が容易にできることも示している。さらに、同図では、器本体１に形成された多数の貫通孔１１，１１，…から空気が器本体１の内部に流れ込み、木片８，８，…に空気を送り込んで燃焼を長時間持続させる状態も示されている。
【符号の説明】
【００４２】
１…器本体、１１…貫通孔、２…軸状脚部、Ａ…風除け部材、３…風除け板、
３３…案内長孔、４…枢支連結材、６…案内ベース、６２…案内ピン、７…弾性材、
Ｋ1…収納傾斜面、Ｋ2…起立用傾斜面。
【要約】
【目的】お盆に松明を用意して、先祖又は故人を偲ぶしきたりや、習慣に対して、極めて簡単な構造で、且つ燃料用の木片に火を付け易くすることができるお盆等に使用する松明用器を提供すること。
【構成】多数の貫通孔１１，１１，…が穿孔された球面皿形状で且つ薄板金属からなる器本体１と、該器本体１の下面側に装着される少なくとも３本の軸状脚部２，２，…と、風除け部材Ａとからなること。該風除け部材Ａは前記器本体１の外周端縁から上方に設けられること。
【選択図】      図１【図１】
0004757348.tif 000002
【図２】
0004757348.tif 000003
【図３】
0004757348.tif 000004
【図４】
0004757348.tif 000005
【図５】
0004757348.tif 000006